(57)【要約】      （修正有）【課題】複数の出力インターフェイスを有し、使用者が自ら出力インターフェイスを切り替えることが可能なキーボードを提供する。【解決手段】インターフェイスの切り替えが可能なキーボードは、ボタンモジュール１０、回路ユニット２０、有線通信インターフェイス２３、無線通信インターフェイス２２及び切替ユニット２７を備える。前記ボタンモジュールは使用者が操作可能な複数のボタンを備える。前記ボタンが操作されることで、前記回路ユニットは情報信号を発する。前記回路ユニットは前記有線通信インターフェイス及び前記無線通信インターフェイスと電気的に接続されている。前記有線通信インターフェイスはケーブルと電気的に接続され、ケーブルを介して出力する。前記切替ユニットは前記回路ユニットと電気的に接続されている。前記回路ユニットが使用者の操作に反応し、前記有線通信インターフェイス或いは前記無線通信インターフェイスに情報信号を発する。【選択図】図１
0003169697.tif 000002
【実用新案登録請求の範囲】
【請求項１】
インターフェイスの切り替えが可能なキーボードであって、
使用者が操作可能な複数のボタンを備えるボタンモジュール（１０）と、
前記ボタンに反応して情報信号を発する回路ユニット（２０）と、
前記回路ユニット（２０）と電気的に接続される有線通信インターフェイス（２３）と、
前記回路ユニット（２０）と電気的に接続される無線通信インターフェイス（２２）と、
前記回路ユニット（２０）と電気的に接続される切替ユニット（２７）と、
を備え、前記有線通信インターフェイス（２３）はケーブル（４）と電気的に接続され、前記ケーブル（４）を介して出力を行い、前記切替ユニット（２７）は使用者の操作に反応し、その際に前記回路ユニット（２０）から前記情報信号を前記有線通信インターフェイス（２３）或いは前記無線通信インターフェイスへ送信することを特徴とするキーボード。
【請求項２】
前記回路ユニット（２０）は更に、信号を処理し前記情報信号を出力するマイクロコントローラ（２１）を備え、前記マイクロコントローラ（２１）は前記有線通信インターフェイス（２３）及び前記無線通信インターフェイス（２２）と電気的に接続され、前記マイクロコントローラ（２１）は前記切替ユニット（２７）の作動に反応し、前記情報信号を前記有線通信インターフェイス（２３）或いは前記無線通信インターフェイス（２２）のどちらかに出力するかを決定することを特徴とする請求項１に記載のキーボード。
【請求項３】
前記回路ユニット（２０）は更に、信号を処理し前記情報信号を出力するマイクロコントローラ（２１）を備え、前記切替ユニット（２７）は前記有線通信インターフェイス（２３）及び前記無線通信インターフェイス（２２）の間に位置し、前記切替ユニット（２７）は使用者の作動状態に基づき、前記情報信号を前記有線通信インターフェイス（２３）或いは前記無線通信インターフェイス（２２）のどちらかと前記マイクロコントローラ（２１）を電気的に接続することを決定し、前記情報信号を出力することを特徴とする請求項１に記載のキーボード。
【請求項４】
前記キーボードは更に、
前記有線通信インターフェイス（２３）と電気的に接続される充電ユニット（２４）と、
前記キーボード内に内蔵され、前記充電ユニット（２４）と電気的に接続される蓄電池モジュール（２５）と、
を備え、前記有線通信インターフェイス（２３）は前記ケーブル（４）を介して外部電力を前記充電ユニット（２４）へ供給し、前記充電ユニット（２４）は前記蓄電池モジュール（２５）を充電することを特徴とする請求項１に記載のキーボード。
【考案の詳細な説明】
【技術分野】
【０００１】
本考案は、インターフェイスの切り替えが可能なキーボードに関するものである。より詳しくは、複数の出力インターフェイスを有し、使用者が自ら出力インターフェイスを切り替えることが可能なキーボードに関するものである。
【背景技術】
【０００２】
キーボードは科学技術の情報伝達において極めて重要な役割を果たしている。パーソナルコンピューターやその他のデジタルデバイスの多くがキーボードを情報伝達のインターフェイスとして利用可能であり、科学技術の進歩に沿ってキーボードは様々な接続方法を取るようになった。
【０００３】
キーボード及びパーソナルコンピューター間の接続は初期のＲＳ−２３２／ＤＢ−９インターフェイス規格から、ＰＳ／２インターフェイスへと変わり、現在は互換性が最も優れるＵＳＢインターフェイスが主流になっている。その接続方法は有線接続を主にしているが、パーソナルコンピューターやデジタルデバイスの応用がパーソナライズされていくに連れて、日常生活において、その応用環境は事務所のデスクやパソコンデスクに限られなくなった。そしてキーボード及びパソコン或いはデジタルデバイスの接続方法も、接続距離が制限される有線接続から自然と接続範囲の広い無線接続へと発展してきた。
【０００４】
キーボードの無線通信の要求に応えるために、まず使用されたのが赤外線通信技術である。しかし赤外線は接続できる距離が数メートル以内と狭く、また赤外線は方向性を有するため、間に遮蔽物がない状態でないと安定した高速接続が望めず、それにより無線キーボードの使用角度や距離に厳しい制限が課せられる。そのため、赤外線接続キーボードは徐々に使用されなくなった。
【０００５】
近年多くの電子業者が一同に無線通信規格を制定し、ブルートゥース（Ｂｌｕｅｔｏｏｔｈ：登録商標）技術を作り出した。これにより有効な接続距離を伸ばしただけでなく、使用角度の問題も克服した。また、互換性が高く、携帯型デバイス分野だけでなく、キーボード、マウスやゲーム機の分野にも応用された。
【０００６】
しかし、ブルートゥースキーボードを入力デバイスとするには、ブルートゥースキーボードの信号を受け取るパーソナルコンピューターや携帯電話等のシステムも、同様のブルートゥースモジュールを備えていなければブルートゥースキーボードと接続することができない。しかし、ブルートゥースモジュールは現在でもパーソナルコンピューターの標準的な内蔵デバイスとは言えないため、使用者がブルートゥースキーボードを持っていても、いつでもすべてのデバイスと接続できるというわけではなく、使用上の制限を受けている。
【考案の概要】
【０００７】
従来の技術にあるように、ブルートゥース技術は多くのパーソナルコンピューターの標準的な機能ではないため、一般的なブルートゥースキーボードは未だ多くのパーソナルコンピューターのシステムと直接接続することはできず、使用上の制限を受けている。そのため、本考案は改良したキーボードを提供する。本考案は前記キーボードが無線通信インターフェイス及び有線通信インターフェイスを同時に備え、更に使用者が接続するデバイスを選択できる信号を発する制御部を備えることで、使用者が前記キーボードの接続対象或いは使用環境に応じて通信インターフェイスを決定することが可能である。これにより前記キーボードは使用する上で従来のキーボードより優れた利便性を備える。
【０００８】
本考案のインターフェイスの切り替えが可能なキーボードは、ボタンモジュール、回路ユニット、有線通信インターフェイス、無線通信インターフェイス及び切替ユニットを備える。前記ボタンモジュールは使用者が操作可能な複数のボタンを備える。前記ボタンが操作されることで、前記回路ユニットは情報信号を発する。前記回路ユニットは前記有線通信インターフェイス及び前記無線通信インターフェイスと電気的に接続されている。前記有線通信インターフェイスはケーブルと電気的に接続され、ケーブルを介して出力する。前記切替ユニットは前記回路ユニットと電気的に接続されている。前記回路ユニットが使用者の操作に反応し、前記有線通信インターフェイス或いは前記無線通信インターフェイスに情報信号を発する。
【０００９】
前記有線通信インターフェイスはＵＳＢインターフェイス或いはＳＡＴＡインターフェイスである。前記無線通信インターフェイスはブルートゥースインターフェイスである。前記回路ユニットはマイクロコントローラを含む。前記マイクロコントローラは信号を処理し、前記情報信号を発する。前記切替ユニットは前記マイクロコントローラに直接接続され、前記切替ユニットの切替によって発する電気信号により、前記マイクロコントローラは有線通信インターフェイス或いは無線通信インターフェイスのどちらかに出力する。また、前記切替ユニットはその作動状態に基づき、前記有線通信インターフェイス或いは無線通信インターフェイスのうちのどちらかを前記マイクロコントローラと電気的に接続し、情報信号を出力することが可能である。前記キーボードは更に前記有線通信インターフェイスと電気的に接続される充電ユニットを含む。前記有線通信インターフェイスは前記ケーブルを介して外部電力を前記充電ユニットに供給する。前記キーボードは無線通信インターフェイスを使用する際、その本体が作動するための電力を備える。
【考案の効果】
【００１０】
上述の技術により、前記キーボードは有線通信及び無線通信両方との互換性を備え、更に使用環境と利便性、或いは使用者の好みに基づいて、使用するインターフェイスを決定することが可能である。更には、複数インターフェイスが利用可能である特徴を利用し、異なるインターフェイスを異なる外付けデバイスに接続することも可能であり、使用する通信インターフェイスを切替えることでキーボードが出力する対象を変更することが可能である。
【図面の簡単な説明】
【００１１】
【図１】本考案の回路の実施例１を示すブロック図である。
【図２】本考案の実施例を示す説明図である。
【図３】本考案の回路の実施例２を示すブロック図である。
【考案を実施するための形態】
【００１２】
本考案はインターフェイスの切り替えが可能なキーボードに関するものである。図１は本考案の回路の実施例１を示すブロック図である。図２は本考案の実施例を示す説明図である。本考案のキーボードは、ボタンモジュール１０、回路ユニット２０を備える。ボタンモジュール１０は前記キーボードの本体に設置される複数のボタンを備える。回路ユニット２０は前記キーボードの本体内部に設置される。前記ボタンが操作されることで、回路ユニット２０は情報信号を発する。前記キーボードの本体及びボタンの構造及び原理は周知の技術であるため、ここでは説明しない。回路ユニット２０は更に無線通信インターフェイス２２及び有線通信インターフェイス２３と電気的に接続される。
【００１３】
有線通信インターフェイス２３はケーブル４と電気的に接続され、前記キーボードはケーブル４を介して外付けデバイス３と相互に信号を通信する。無線通信インターフェイス２２は無線通信と互換性を持つ外付けデバイス３と無線通信接続をすることが可能である。前記キーボードは無線通信インターフェイス２２及び有線通信インターフェイス２３を介して、使用者が入力した情報信号を外付けデバイス３へ送信する。
【００１４】
回路ユニット２０は更にマイクロコントローラ２１を備える。マイクロコントローラ２１の形態は回路ユニット２０上にある集積回路チップである。回路ユニット２０がボタンモジュール１０の作動に反応することで、マイクロコントローラ２１は信号を処理し、情報信号を出力する。マイクロコントローラ２１が出力した情報信号は、無線通信インターフェイス２２及び有線通信インターフェイス２３のどちらかを選択して送信することが可能である。
【００１５】
前記キーボードは更に回路ユニット２０と電気的に接続される切替ユニット２７を備える。切替ユニット２７を使用者が操作することで回路ユニット２０が反応し、前記情報信号を無線通信インターフェイス２２或いは有線通信インターフェイス２３へ送信する。
【００１６】
切替ユニット２７の設置と接続関係について図１に示す。切替ユニット２７は切替状態に基づき電気信号を発し、マイクロコントローラ２１は前記電気信号に反応する。切替ユニット２７が使用者の操作により第一状態に切り替えられた場合、マイクロコントローラ２１は前記情報信号を無線通信インターフェイス２２へ出力し、前記情報信号は無線通信インターフェイス２２から外付けデバイス３へ送信される。
【００１７】
同様に、切替ユニット２７が使用者の操作により第二状態に切り替えられた場合、マイクロコントローラ２１は前記情報信号を有線通信インターフェイス２３へ出力し、前記情報信号は有線通信インターフェイス２３からケーブル４を介して外付けデバイス３へ送信される。
【００１８】
切替ユニット２７は図２に示すようなスライドスイッチ形式や回転式スイッチ、或いは当業者が容易に想到するものであれば利用できる。
【００１９】
図３は、本考案の回路の実施例２を示すブロック図である。切替ユニット２７を設置する位置及び接続関係を図３に示す。切替ユニット２７はマイクロコントローラ２１及び無線通信インターフェイス２２、有線通信インターフェイス２３の間に接続される。このため、使用者が切替ユニット２７を操作することで、前記情報信号を無線通信インターフェイス２２或いは有線通信インターフェイス２３のどちらに送信するかを選択することが可能である。
【００２０】
図１に示すように、前記キーボードは無線通信インターフェイス２２を利用して外付けデバイス３と接続する際、その本体が電力を備える必要がある。そのため、前記キーボードは更に有線通信インターフェイス２３と電気的に接続される充電ユニット２４を備える。有線通信インターフェイス２３が外付けデバイス３と接続された際、有線通信インターフェイス２３は外部電力を充電ユニット２４に供給する。充電ユニット２４は前記キーボードに内蔵される蓄電池モジュール２５を充電する。蓄電池モジュール２５は回路ユニット２０と電気的に接続され、無線通信インターフェイス２２を起動した際に前記キーボードが作動するのに必要な電力を供給する。
【００２１】
図３に示すように、前記キーボードは更に回路ユニット２０と電気的に接続される電池装着部２６を備え、充電ユニット２４は電池装着部２６と電気的に接続される。一般的に使用される交換式の蓄電池を電池装着部２６内に設置することで、前記蓄電池は電力を供給し、無線通信インターフェイス２２を起動した状態において作動することが可能である。
【００２２】
前述の無線通信インターフェイス２２はブルートゥースモジュールである。前述の有線通信インターフェイス２３はＵＳＢインターフェイス或いはＳＡＴＡインターフェイスである。上述の技術により、前記キーボードは有線通信及び無線通信両方との互換性を備え、更に使用環境と利便性、或いは使用者の好みに基づいて、使用するインターフェイスを決定することが可能である。更には、複数インターフェイスが利用可能である特徴を利用し、異なるインターフェイスを異なる外付けデバイスに接続することも可能であり、使用する通信インターフェイスを切替えることでキーボードが出力する対象を変更することが可能である。
【００２３】
上述において、本発明の説明の利便性のために最良の実施例を挙げて説明したが、これらの実施例は本発明の請求の範囲を限定するものではなく、本発明に基づく本発明の要旨を逸脱しないあらゆる変更は本発明の特許請求の範囲に含まれる。
【符号の説明】
【００２４】
３      外付けデバイス
４      ケーブル
１０    ボタンモジュール
２０    回路ユニット
２１    マイクロコントローラ
２２    無線通信インターフェイス
２３    有線通信インターフェイス
２４    充電ユニット
２５    蓄電池モジュール
２６    電池装着部
２７    切替ユニット
【図１】
0003169697.tif 000003
【図２】
0003169697.tif 000004
【図３】
0003169697.tif 000005